(57)【特許請求の範囲】
【請求項１】
光ファイバ（２１）を突き合わせ接続可能に成端してなる多心の光コネクタフェルール（２２）を収納してなる光コネクタプラグ（２４、３８）と、
両側から差し込まれた一対の光コネクタプラグの光コネクタフェルール同士が内部にて突き合わせ接続される光コネクタアダプタ、あるいは、一側から差し込まれた光コネクタプラグの光コネクタフェルールと別途内装支持された光コネクタフェルール（２７）とが内部にて突き合わせ接続される光コネクタレセプタクルであるハウジング（２５、３９、５１）とを具備し、
前記光コネクタプラグはＭＴコネクタである前記光コネクタフェルールを先端（２３ａ）に収納保持したプラグハウジング（２３）と、該プラグハウジング先端から突設され前記ハウジング内の係合部（２５ｂ、４５、５２）と係脱可能に係合する係合片（３５）と、前記プラグハウジング先端から側方に向けて突設されかつ前記係合片と連結されしかも手動操作されることにより前記係合片を変位させる離脱レバー（３６）とを備え、
前記離脱レバー（３６）はプラグハウジング（２３）と一体的に形成された弾性片であり、プラグハウジング先端（２３ａ）からプラグハウジング後端（２３ｂ）方向に行くにしたがってプラグハウジング（２３）から次第に離間するように斜めに傾斜して突出し、前記係合片（３５）は前記離脱レバーの前記プラグハウジングからの突出基端部の両側部に突設され、
前記ハウジングの側壁部には前記光コネクタプラグが差し込まれる開口部（２５ａ、５１ａ、５１ｂ）から奥側に向かって延在しかつ前記離脱レバーが挿入されるスリット状のレバー差込溝（３７、５３、５４）を備え、
前記ハウジング内にて互いに突き合わせ接続される光コネクタフェルールがＭＴコネクタであり、
前記光コネクタプラグを前記ハウジングに差し込むと同時に前記係合片がハウジング内にて前記レバー差込溝が形成されている前記側壁部に設けられている前記係合部（２５ｂ、４５、５２）の前記開口部（２５ａ、５１ａ、５１ｂ）とは反対の側に係合するとともに前記離脱レバーの先端がレバー差込溝を介してハウジングの外側に突出し、しかも、前記レバー差込溝内で前記離脱レバーが保持され、
前記離脱レバーを操作して前記係合片を変位させることにより、前記係合部に係合され前記ハウジング内にて前記開口部（２５ａ、５１ａ、５１ｂ）から前記係合部（２５ｂ、４５、５２）よりも奥側に位置する前記係合片を、前記係合部（２５ｂ、４５、５２）から離脱できるようになっていることを特徴とする光コネクタ（２０、５０）。
【請求項２】
前記ハウジングが光コネクタアダプタであり、スリーブ状であるハウジング（５１）の軸方向両端には、光コネクタプラグ（２４）の離脱レバー（３６）が入り込むスリット状のレバー差込溝（５３、５４）を、それぞれ前記ハウジング（５１）の軸方向両端の開口部（５１ａ、５１ｂ）から該ハウジング（５１）軸方向中央部方向に延在形成していることを特徴とする請求項１記載の光コネクタ。
【請求項３】
軸方向両側のレバー差込溝（５３、５４）が、前記ハウジングにおいて互いに反対の側に位置する両側の側壁部に形成されていることを特徴とする請求項２記載の光コネクタ。
【請求項４】
軸方向両側のレバー差込溝（５３、５４）が、前記ハウジングにおいて同一側面に形成されていることを特徴とする請求項２記載の光コネクタ。
【発明の詳細な説明】
【０００１】
【発明の属する技術分野】
本発明は、光コネクタに係り、特に光ファイバを突き合わせ接続可能に成端する光コネクタフェルールを収納した光コネクタプラグと、該光コネクタプラグが差し込まれることにより内部にて光コネクタフェルール同士が突き合わせ接続されるハウジングとを備えてなる光コネクタに関するものである。
【０００２】
【従来の技術】
単心の光ファイバ同士を切替可能に接続する光コネクタとしては、例えばＪＩＳ  Ｃ  ５９７３に制定されるようないわゆるＳＣ形光コネクタが従来から提供されている。
図１０はＳＣ形光コネクタ１の一例を示す。
図１０において、ＳＣ形光コネクタ１は、単心光ファイバ２を突き合わせ接続可能に成端する光コネクタフェルール３を収納した光コネクタプラグ４と、該光コネクタプラグ４が挿抜可能に差し込まれるハウジング５（光コネクタアダプタ）とを具備している。ハウジング５内部では、該ハウジング５に差し込まれた光コネクタプラグ４側の光コネクタフェルール３に別の光コネクタフェルールが突き合わせ接続される。
【０００３】
ところで、前記ＳＣ形光コネクタ１では光コネクタフェルール３を高精度に位置決めして突き合わせ接続する必要があることから、光コネクタプラグ４とハウジング５との間にも高い精度が確保（光コネクタフェルール間よりは精度は低い）され、両者の間の挿抜抵抗が大きくなって切替接続等の作業に不便を生じる場合がある。
図１１は、前記問題点に鑑みて開発された光コネクタ６を示す。
図１１において、この光コネクタ６は、単心光ファイバ７を突き合わせ接続可能に成端した光コネクタフェルール（図示せず）を収納する光コネクタプラグ８、９と、これら光コネクタプラグ８、９が両側から差し込まれ内部にて接続されるハウジング１０（光コネクタアダプタ）とを備えている。光コネクタプラグ８、９はハウジング１０に差し込んだ際に該ハウジング１０と係脱可能に係合する図示しない係合爪を有している。また、光コネクタプラグ８、９からは前記係合爪を変位させてハウジング１０との係合を解除させる弾性レバー１１、１２を突設している。これら弾性レバー１１、１２は光コネクタプラグ８、９をハウジング１０に差し込んだ時には該ハウジング１０の外側に突出しているので手動操作することにより係合爪とハウジング１０との係合を容易に解除することができ、これによりハウジング１０から光コネクタプラグ８、９を容易に引き抜くことができる。
【０００４】
【発明が解決しようとする課題】
ところで、前記の光コネクタ６の場合、単心に対応するものであり、多数の光ファイバに対応するためには複数連設することになり、低コスト化、高密度化が困難である。多心の光コネクタとしては例えばＪＩＳ  Ｃ  ５９８１に制定されるいわゆるＭＴ形光コネクタ（Mechanicaliy Transferable）があるが、このＭＴ形光コネクタでは多心一括接続が可能であるものの、切替接続を迅速に行うには専用の切替装置を搬入する等の作業が必要になるため、このままではプッシュ−プルによる簡便な切替接続を行うことは出来ず、前記問題の根本的な解決に至らない。
したがって、多心の光コネクタフェルール同士を切替可能に簡便に接続でき、しかも小型化、低コスト化、高密度化が可能な光コネクタの開発が求められていた。
【０００５】
本発明は、前述の課題に鑑みてなされたもので、
（ａ）光コネクタプラグをハウジングに差し込むだけで多心の光コネクタフェルール同士を簡便に突き合わせ接続することができ、しかも、離脱レバーにより接続解除作業をも簡便に行うことができる、
（ｂ）小型化、低コスト化、高密度化が容易である
光コネクタを提供することを目的とする。
【０００６】
【課題を解決するための手段】
本発明では、光ファイバ（２１）を突き合わせ接続可能に成端してなる多心の光コネクタフェルール（２２）を収納してなる光コネクタプラグ（２４、３８）と、両側から差し込まれた一対の光コネクタプラグの光コネクタフェルール同士が内部にて突き合わせ接続される光コネクタアダプタ、あるいは、一側から差し込まれた光コネクタプラグの光コネクタフェルールと別途内装支持された光コネクタフェルール（２７）とが内部にて突き合わせ接続される光コネクタレセプタクルであるハウジング（２５、３９、５１）とを具備し、前記光コネクタプラグはＭＴコネクタである前記光コネクタフェルールを先端（２３ａ）に収納保持したプラグハウジング（２３）と、該プラグハウジング先端から突設され前記ハウジング内の係合部（２５ｂ、４５、５２）と係脱可能に係合する係合片（３５）と、前記プラグハウジング先端から側方に向けて突設されかつ前記係合片と連結されしかも手動操作されることにより前記係合片を変位させる離脱レバー（３６）とを備え、前記離脱レバー（３６）はプラグハウジング（２３）と一体的に形成された弾性片であり、プラグハウジング先端（２３ａ）からプラグハウジング後端（２３ｂ）方向に行くにしたがってプラグハウジング（２３）から次第に離間するように斜めに傾斜して突出し、前記係合片（３５）は前記離脱レバーの前記プラグハウジングからの突出基端部の両側部に突設され、前記ハウジングの側壁部には前記光コネクタプラグが差し込まれる開口部（２５ａ、５１ａ、５１ｂ）から奥側に向かって延在しかつ前記離脱レバーが挿入されるスリット状のレバー差込溝（３７、５３、５４）を備え、前記ハウジング内にて互いに突き合わせ接続される光コネクタフェルールがＭＴコネクタであり、前記光コネクタプラグを前記ハウジングに差し込むと同時に前記係合片がハウジング内にて前記レバー差込溝が形成されている前記側壁部に設けられている前記係合部（２５ｂ、４５、５２）の前記開口部（２５ａ、５１ａ、５１ｂ）とは反対の側に係合するとともに前記離脱レバーの先端がレバー差込溝を介してハウジングの外側に突出し、しかも、前記レバー差込溝内で前記離脱レバーが保持され、前記離脱レバーを操作して前記係合片を変位させることにより、前記係合部に係合され前記ハウジング内にて前記開口部（２５ａ、５１ａ、５１ｂ）から前記係合部（２５ｂ、４５、５２）よりも奥側に位置する前記係合片を、前記係合部（２５ｂ、４５、５２）から離脱できるようになっていることを特徴とする光コネクタ（２０、５０）を前記課題の解決手段とした。
また、本発明は、前記ハウジングが光コネクタアダプタであり、スリーブ状であるハウジング（５１）の軸方向両端には、光コネクタプラグ（２４）の離脱レバー（３６）が入り込むスリット状のレバー差込溝（５３、５４）を、それぞれ前記ハウジング（５１）の軸方向両端の開口部（５１ａ、５１ｂ）から該ハウジング（５１）軸方向中央部方向に延在形成していることを特徴とする光コネクタを提供する。
また、本発明は、軸方向両側のレバー差込溝（５３、５４）が、前記ハウジングにおいて互いに反対の側に位置する両側の側壁部に形成されていることを特徴とする光コネクタを提供する。
また、本発明は、軸方向両側のレバー差込溝（５３、５４）が、前記ハウジングにおいて同一側面に形成されていることを特徴とする光コネクタを提供する。
光コネクタフェルールは、一本または複数本の多心光ファイバあるいは複数本の単心光ファイバを突き合わせ接続可能に成端する。
ハウジングとしては、光コネクタアダプタや光コネクタレセプタクル等各種構成が採用可能である。
係合片はハウジングに対して係脱可能であれば良く、各種構成が採用可能である。
離脱レバーはプラグハウジングからの突出寸法を小さくすることが好ましい。これにより、ハウジングの周囲に確保すべき離脱レバーの操作スペースを縮小することができ、この光コネクタの高密度実装が可能になる。
【０００７】
【発明の実施の形態】
以下本発明の光コネクタの第１実施形態を図１から図４を参照して説明する。図１において、本発明の光コネクタ２０は、多心の光ファイバ２１（図１では４心光コード）を突き合わせ接続可能に成端する光コネクタフェルール２２を角筒状のプラグハウジング２３内に収納した光コネクタプラグ２４と、該光コネクタプラグ２４が差し込まれるハウジング２５（光コネクタレセプタクル）とを備えている。図２に示すように、ハウジング２５内には多心の光ファイバ２６（図２では４心光コード）を突き合わせ接続可能に成端する光コネクタフェルール２７を収納し、前記光コネクタプラグ２４をハウジング２５に差し込むと光コネクタフェルール２２、２７同士が突き合わせ接続される。
なお、光ファイバ２１、２６は４心光ファイバテープ心線を被覆チューブ内に収納した構成の他、４本の光ファイバ単心線を被覆チューブ内に収納した構成等、各種構成が採用可能である。
【０００８】
光コネクタフェルール２２、２７はＪＩＳ  Ｃ  ５９８１に制定される光コネクタフェルール（いわゆるＭＴコネクタ。Mechanicaliy Transferable）である。図１に示すように、光コネクタプラグ２４側の光コネクタフェルール２２は長方形状の接合端面２９を有し、該接合端面２９の長手方向両端部にはガイドピン穴３０を穿設している。図２に示すように、ハウジング２５側の光コネクタフェルール２７も前記光コネクタプラグ２４側の光コネクタフェルール２２の接合端面２９に一致する接合端面３１とガイドピン穴（図示せず）とを有している。この光コネクタフェルール２７のガイドピン穴にはガイドピン３２を挿入している。光コネクタフェルール２２、２７同士は、ハウジング２５に光コネクタプラグ２４を差し込んだ際にガイドピン３２とガイドピン穴３０とを嵌合することにより精密位置決めされ、突き合わせ接続される。
なお、ガイドピン３２は、ハウジング２５側の光コネクタフェルール２７に一体的に取り付けたピンクランプ３３によりクランプ保持しているので、光コネクタフェルール２２、２７同士の接続や接続解除等の作業によっても位置ずれを生じること無く安定に支持される。
【０００９】
また、ハウジング２５には付勢手段３４（コイルスプリング）を収納し、該付勢手段３４の付勢力をピンクランプ３３を介して光コネクタフェルール２７に作用させるようになっている。一方、光コネクタプラグ２４内にも光コネクタフェルール２７に付勢力を与える付勢手段２２ａ（コイルスプリング）を収納している。図３に示すように、光コネクタプラグ２４をハウジング２５に差し込んだ時には、該光コネクタプラグ２４から突設した係合片３５がハウジング２５内にて係合部２５ｂと係合して該光コネクタプラグ２４の引き抜きが規制されるので、前記付勢手段３４、２２ａの付勢力が突き合わせ接続された光コネクタフェルール２２、２７間の突き合わせ力として作用する。
なお、付勢手段はコイルスプリング以外、板バネやゴム等からなる弾性体等、各種構成の採用が可能である。
【００１０】
図１に示すように、前記係合片３５は、光コネクタプラグ２４のプラグハウジング２３から突設された離脱レバー３６の両側部に形成したフランジ部である。プラグハウジング２３は全体がプラスチック等の合成樹脂からなり、離脱レバー３６はプラグハウジング２３と一体的に形成された弾性片であり、プラグハウジング先端２３ａからプラグハウジング後端２３ｂ方向に行くにしたがってプラグハウジング２３から次第に離間するように斜めに傾斜して突出している。
【００１１】
図３に示すように、光コネクタプラグ２４をハウジング２５に差し込むと同時に係合片３５は係合部２５ｂと係合し、離脱レバー３６先端はハウジング２５外側に突出する。この状態では、ハウジング２５から光コネクタプラグ２４を引き抜くことは出来ない。また、係合片３５と係合部２５ｂとの係合に加えて、図４に示すように、ハウジング２５の側壁に形成したスリット状のレバー差込溝３７内に離脱レバー３６が保持されるため、光コネクタプラグ２４は位置ずれを生じることなく安定に収納保持される。このため、例えば図４において光ファイバ２１が矢印Ａ方向に引っ張られ（いわゆるサイドプル）て光コネクタプラグ２４に側方への力が作用した場合であっても、光コネクタプラグ２４がハウジング２５内にて変位することが防止され、ハウジング２５内での光コネクタフェルール２２、２７同士の接続状態が安定に維持され、低接続損失を安定かつ確実に維持することができる。
【００１２】
プラグハウジング先端２３ａから突設した離脱レバー３６をレバー差込溝３７に収納する構成では、ハウジング２５にプラグハウジング先端２３ａを収納できれば光コネクタフェルール２２、２７同士の接続状態を維持することができ、ハウジング２５の小型化が可能である。したがって、この光コネクタ２０は小型化や低コスト化が容易であり、しかも実装密度を高めることができる。
【００１３】
図３において、離脱レバー３６のハウジング２５外側に突出した部分を手動操作してプラグハウジング２３に近付けるように弾性変形させると、ハウジング２５内にて係合片３５が係合部２５ｂから離脱し、ハウジング２５から光コネクタプラグ２４を引き抜くことが可能になる。図４に示すように、離脱レバー３６はハウジング２５の開口部２５ａ側からレバー差込溝３７へ差し込まれ、離脱作業時に弾性変形した離脱レバー３６はレバー差込溝３７に収納されるので、ハウジング２５の側壁と干渉することは無く、作業を効率良く行うことができる。この時、係合片３５（図３参照）が係合部２５ｂから離脱すると同時に付勢手段３４および２２ａの作用によって光コネクタプラグ２４がハウジング２５から押し出されるので、光コネクタプラグ２４はハウジング２５から容易に引き抜くことができる。
【００１４】
このように、この光コネクタ２０によれば、光コネクタプラグ２４をハウジング２５に差し込んで光コネクタフェルール２２、２７同士を接続するだけで多心の光ファイバ２１、２６同士を簡便に接続することができる。したがって、複数の単心光コネクタを連設する場合に比べて小型化、省スペース化が可能であり、複数実装する場合の実装密度を高めることができる。
しかも、この光コネクタ２０では、離脱レバー３６を操作することによってハウジング２５に差し込んだ光コネクタプラグ２４を容易に引き抜くことができるので、接続解除、切替接続といった作業を簡便に行うことができる。離脱レバー３６は、メタル信号線を利用した電話機等に使用されるいわゆるモジュラージャックに形状および操作が似ているので、当業者以外であっても操作を容易に理解することができる。
【００１５】
なお、本実施形態において、光コネクタプラグやハウジングは前述の構成に限定されず、例えば図５に示すように、付勢手段２２ａを組み込んでいない光コネクタプラグ３８を採用することも可能である。この場合、ハウジング２５側の付勢手段３４によって光コネクタフェルール２２、２７間の突き合わせ力は十分に確保できる。また、この光コネクタプラグ３８は光コネクタプラグ２４に比べて小型化、低コスト化することができる。
【００１６】
図６に示すハウジング３９内には、光コネクタフェルール２７に代えて光電変換器（図５中Ｏ／Ｅ変換器）等を組み込んでなるモジュール４０を収納している。ハウジング３９はモジュール４０を収納している点以外はハウジング２５と同様の構成であり、光コネクタプラグ２４が開口部４１から差し込まれるようになっている。
モジュール４０のハウジング開口部４１側には、前記光コネクタフェルール２２が突き合わせ接続可能なコネクタ部４２を取り付けている。このコネクタ部４２は光コネクタフェルール２２に挿入したガイドピン３２が挿入され嵌合するガイドピン穴４３を備えている。
【００１７】
光コネクタプラグ２４をハウジング３９に差し込むと、モジュール４０のコネクタ部４２に光コネクタフェルール２２が突き合わせ接続され、これにより光コネクタフェルール２２によって成端された光ファイバ２１側の複数の光線路がモジュール４０と接続される。その結果、モジュール４０と接続されたメタル信号線４４と光ファイバ２１側の複数の光線路とが一括して接続される。この時、光コネクタプラグ２４の係合片３５がハウジング３９内の係合部４５と係合して該光コネクタプラグ２４がハウジング３９から引き抜かれることが規制され、付勢手段２２ａの付勢力が光コネクタフェルール２２とコネクタ部４２との間の突き合わせ力として作用する。また、離脱レバー３６を操作すると係合片３５をハウジング３９内の係合部４５から離脱することができ、これにより光コネクタプラグ２４をハウジング３９から簡便に引き抜くことができる。
【００１８】
図７に示すように、ハウジング３９内に付勢手段４６（コイルスプリング）を収納し、この付勢手段４６によってコネクタ部４２を付勢することも可能である。また、ガイドピン３２をコネクタ部４２に挿入固定することも可能である。この場合、図５に示した光コネクタプラグ３８の採用が可能であり、光コネクタ全体の小型化や低コスト化が可能である。
【００１９】
図８および図９は、本発明の第２実施形態の光コネクタ５０を示す。
なお、図中図１から図４と同一の構成部分には同一の符号を付し、その説明を簡略化する。
図８において、この光コネクタ５０は、対向する両側から光コネクタプラグ２４が差し込まれるハウジング５１（光コネクタアダプタ）を備えている。
この光コネクタ５０では、両側から差し込まれた一対の光コネクタプラグ２４、２４の光コネクタフェルール２２、２２がハウジング５１内にて突き合わされ、各光コネクタプラグ２４、２４の係合片３５がハウジング５１内にて係合部５２に係合すると、両光コネクタプラグ２４、２４の付勢手段２２ａの付勢力の作用によって光コネクタフェルール２２、２２間に突き合わせ力が与えられ、これにより光コネクタフェルール２２、２２同士が目的の低接続損失を以て接続される。離脱レバー３６を操作すると、光コネクタプラグ２４をハウジング５１から簡便に引き抜くことができることは言うまでも無い。
【００２０】
図９に示すように、スリーブ状であるハウジング５１の軸方向両端には、光コネクタプラグ２４の離脱レバー３６が入り込むスリット状のレバー差込溝５３、５４をそれぞれ開口部５１ａ、５１ｂからハウジング５１軸方向中央部方向に延在形成している。これらレバー差込溝５３、５４は、図９中上下で逆になる位置に形成している。したがって、図８において、ハウジング５１には光コネクタプラグ２４、２４が互いに反対向きになるようにして（離脱レバー３６が上下逆になるようにして）差し込まれるようになっている。
また、場合によっては、レバー差込溝５３、５４をハウジング５１の同一側面に形成した構成も採用可能である。図９に示すように、光コネクタフェルール２２の接合端面２９では４本の裸ファイバ５５をガイドピン穴３０、３０間にて並列に配列固定し、図９中図示していない反対側の光コネクタプラグ２４の光コネクタフェルール２２の接合端面２９にも同様に同数の裸ファイバ５５を並列に配列固定しているので、光コネクタフェルール２２同士の接続向きを反転させると接続される裸ファイバ５５の組み合わせを変更できる。
【００２１】
また、ハウジング５１では、差し込まれる少なくとも一方の光コネクタプラグに付勢手段があれば光コネクタフェルール間に突き合わせ力を確保できる。したがって、例えば光コネクタプラグ２４と図５に示した光コネクタプラグ３８とを接続する構成のハウジングを採用することも可能である。この場合、小型化が容易な光コネクタプラグ３８を採用していることから、光コネクタ全体の小型化が可能である。
【００２２】
なお、本発明の光コネクタは第１、第２実施形態に限定されず、各種変更が可能である。
例えば、第１、第２実施形態に示した光コネクタフェルール２２は４心用であるが、４心以外、２心、３心、あるいは５心以上に対応できる光コネクタフェルールを採用することも可能である。
また、第１、第２実施形態では離脱レバーから突設された形状の係合片を示したが、この係合片としては離脱レバーの操作によってハウジング側との係合を解除可能な構成であれば良く、各種構成の採用が可能である。係合片や離脱レバーの形状や形成位置は適宜変更可能である。
【００２３】
【発明の効果】
以上説明したように、本発明の光コネクタによれば、
（イ）多心の光コネクタフェルールを収納した光コネクタプラグをハウジングに差し込むだけで光コネクタプラグ側の光コネクタフェルールを別の多心の光コネクタフェルールと簡便に突き合わせ接続することができる、
（ロ）離脱レバーにより接続解除作業をも簡便に行うことができる、
（ハ）多心の光コネクタフェルールを収納した光コネクタプラグやハウジングを採用したことにより、単心光コネクタを連設した場合に比べて省スペース化、低コスト化が可能になる、
（ニ）光コネクタプラグのプラグハウジング先端から突設した離脱レバーをハウジングのレバー差込溝に収納する構成により、プラグハウジング先端近傍のみを収納可能な小型のハウジングの採用が可能になるので、この光コネクタの実装密度を高めることができる、
（ホ）プラグハウジング先端から突設した離脱レバーをハウジングのレバー差込溝に収納する構成によりサイドプルに対する耐力を向上することができ、光コネクタフェルール間の低接続損失を安定かつ確実に維持することができる
といった優れた効果を奏する。
【図面の簡単な説明】
【図１】  本発明の光コネクタの第１実施形態を示す分解斜視図である。
【図２】  図１の正面図である。
【図３】  図１の光コネクタの接続状態を示す正面図である。
【図４】  図３の斜視図である。
【図５】  図１の光コネクタの別態様を示す図であって、付勢手段を収納したハウジングと付勢手段を省略した光コネクタプラグとを示す概念図である。
【図６】  図１の光コネクタの別態様を示す図であって、光電変換器を組み込んでなるモジュールを収納したハウジングを示す概念図である。
【図７】  図６の変形例を示す図であって、付勢手段を収納したハウジングと付勢手段を省略した光コネクタプラグとを示す概念図である。
【図８】  本発明の光コネクタの第２実施形態を示す概念図である。
【図９】  図８の光コネクタを示す分解斜視図である。
【図１０】  ＳＣ形光コネクタを示す分解斜視図である。
【図１１】  離脱用の弾性レバーを有する単心光コネクタを示す正面図である。
【符号の説明】
２０…光コネクタ、２１…光ファイバ（４心光コード）、２２…光コネクタフェルール、２３…プラグハウジング、２３ａ…先端、２４…光コネクタプラグ、２５…ハウジング（光コネクタレセプタクル）、２５ａ…開口部、２７…光コネクタフェルール、３５…係合片、３６…離脱レバー（弾性片）、３７…レバー差込溝、３８…光コネクタプラグ、３９…ハウジング（光コネクタレセプタクル）、５０…光コネクタ、５１…ハウジング（光コネクタアダプタ）、５１ａ，５１ｂ…開口部、５３，５４…レバー差込溝。
【図１】
0003910266.tif 000002
【図２】
0003910266.tif 000003
【図３】
0003910266.tif 000004
【図４】
0003910266.tif 000005
【図５】
0003910266.tif 000006
【図６】
0003910266.tif 000007
【図７】
0003910266.tif 000008
【図８】
0003910266.tif 000009
【図９】
0003910266.tif 000010
【図１０】
0003910266.tif 000011
【図１１】
0003910266.tif 000012